(57)【要約】【課題】特許文献１のリモコン装置では操作信号を反射するのみの構成であるため、複数種類の遠隔操作を行うためには操作信号を操作対象機器側で選択し射出する必要がある。つまりユーザが任意に所望の操作を実行させることができず、例えばテレビ装置のように多種多様な操作を必要とする機器を遠隔操作することができない、という課題がある。【解決手段】以上の課題解決のため、本発明は、リモコン装置にて所定の周波数帯を遮断する光フィルタを用意し、そのフィルタを利用して操作対象機器からの射出信号の周波数帯のうち任意の一部信号のみを透過させ反射することで、ユーザが所望する任意の遠隔操作を実現することができる光リモコンシステムを提供する。【選択図】図２
2013131804.tif 000002
【特許請求の範囲】
【請求項１】
第一の周波数帯の第一光を射出する第一光射出部と、
射出された第一光の少なくとも一部帯域を光フィルタによって遮断可能なフィルタ部と、
遮断されずに透過した第一光の部分である第二光をリモコン信号として射出する第二光射出部と、
フィルタ部を制御する制御機構部と、
を有する光リモコンシステム。
【請求項２】
フィルタ部は、異なる帯域を遮断可能な複数の光フィルタを有する請求項１に記載の光リモコンシステム。
【請求項３】
第一光射出部は、前記複数の光フィルタが遮断可能な複数の帯域の二以上の組み合わせを帯域とする第一光である組合せ第一光を射出する帯域毎射出手段を有する請求項２に記載の光リモコンシステム。
【請求項４】
第一光射出部は、前記組合せ第一光の射出を、前記複数の帯域を時間的に連続して順次射出するように帯域毎射出手段を制御することで行う時間制御手段を有する請求項３に記載の光リモコンシステム。
【請求項５】
第一光射出部より射出された第一光を縦偏光する縦偏光フィルタ部と、
第二光射出部より射出された第二光を斜め偏光する斜偏光フィルタ部と、
前記斜め偏光された第二光を横偏光成分のみを検知する横偏光検知部と、
を有する請求項１から４のいずれか一に記載の光リモコンシステム。
【請求項６】
第一光射出部より射出された第一光を横偏光する横偏光フィルタ部と、
第二光射出部より射出された第二光を斜め偏光する斜偏光フィルタ部と、
前記斜め偏光された第二光を縦偏光成分のみを検知する縦偏光検知部と、
を有する請求項１から４のいずれか一に記載の光リモコンシステム。
【請求項７】
第一光射出部より射出された第一光を基準角度に偏光する基準角度偏光フィルタ部と、
第二光射出部より射出された第二光を前記基準角度から４５度回転した角度に偏光する基準４５度偏光フィルタ部と、
前記基準４５度偏光された第二光を、基準角度から９０度回転した角度の偏光成分のみを検知する基準９０度偏光検知部と、
を有する請求項１から４のいずれか一に記載の光リモコンシステム。
【請求項８】
請求項１から７のいずれか一に記載の光リモコンシステムを含むテレビ受信装置。
【発明の詳細な説明】
【技術分野】
【０００１】
本発明は、所定周波数帯の光の一部を選択的にフィルタリングし、その一部光を操作信号とすることにより多様なリモコン操作を行う技術に関する。
【背景技術】
【０００２】
従来、各種機器を遠隔操作するためのリモコンシステムが提供されている。この従来のリモコンシステムでは、操作対象機器に対してリモコン装置から操作信号を射出し、機器側で操作信号を解釈することで遠隔操作が実行される構成となっている。また、例えばテレビであれば電源のオン／オフ操作、選局操作、ボリュームアップ／ダウン操作など多種多様な遠隔操作を実現するために、リモコン装置にはマイコンなどが組み込まれ、入力されたボタン操作に応じた操作信号をマイコン処理によって適宜選択し射出している。そしてそのマイコン処理のための電源（電池など）がリモコン装置には組み込まれている。
【０００３】
一方で特許文献１には、このような電源を必要としないリモコンシステムとして以下のような技術が開示されている。すなわち、リモコン装置には集光レンズと信号の反射板のみが設けられ、操作対象機器から当該機器自身の動作状態に応じて選択的に射出される操作信号をリモコン装置で反射させることで遠隔操作を実現している。具体的には、操作対象機器である屋根の採光窓の動作状態が全閉状態であれば「窓の開信号」が、全開状態であれば「閉信号」が、また窓の開閉駆動中であれば「駆動停止信号」が、つまり採光窓を次の動作状態に移行させるための信号が、採光窓から適宜選択的に射出されている。そしてユーザが採光窓を操作したい場合には、リモコン装置の反射板を採光窓に向けることで選択射出されている操作信号が反射されリモコン操作が実現される、という具合である。
【先行技術文献】
【特許文献】
【０００４】
【特許文献１】特開平０５−３０６５８９号公報
【発明の概要】
【発明が解決しようとする課題】
【０００５】
しかし特許文献１のリモコン装置では操作信号を反射するのみの構成であるため、複数種類の遠隔操作を行うためには、上記のように「操作機器対象を次の動作状態に移行させる操作」というような所定の規則性のある操作の操作信号を操作対象機器側で選択し射出する必要がある。つまりユーザが任意に所望の操作を実行させることができず、例えばテレビ装置のように多種多様な操作を必要とする機器を遠隔操作することができない、という課題がある。
【課題を解決するための手段】
【０００６】
以上の課題を解決するために、本発明は、リモコン装置にて所定の周波数帯を遮断する光フィルタを用意し、そのフィルタを利用して操作対象機器からの射出信号の周波数帯のうち任意の一部信号のみを選択的に透過、反射することで、ユーザが所望する任意の遠隔操作を実現することができる光リモコンシステムを提供する。具体的に、第一の周波数帯の第一光を射出する第一光射出部と、射出された第一光の少なくとも一部帯域を光フィルタによって遮断可能なフィルタ部と、遮断されずに透過した第一光の部分である第二光をリモコン信号として射出する第二光射出部と、フィルタ部を制御する制御機構部と、を有する光リモコンシステムを提供する。
【０００７】
また上記構成を備え、そのフィルタ部が異なる帯域を遮断可能な複数の光フィルタを有することで、多種多様な遠隔操作を実現することができる光リモコンシステムも提供する。また上記構成を備え、その第一光射出部が、前記複数の光フィルタが遮断可能な複数の帯域の一又は二以上の組み合わせを帯域とする第一光である組合せ第一光を射出する帯域毎射出手段を有する光リモコンシステムも提供する。また上記構成を備え、その第一光射出部が、前記組合せ第一光の射出を、前記複数の帯域を時間的に連続して順次射出するように帯域毎射出手段を制御することで行う時間制御手段を有する光リモコンシステムも提供する。
【０００８】
また、リモコン装置以外の例えば部屋内の鏡面台などによる想定外の反射信号を操作信号として操作対象機器が受信しないよう、操作対象機器から操作信号を縦偏光信号として射出し、それをリモコン装置で斜偏光して反射し操作対象機器では横偏光信号のみ受信する（あるいは逆に横、斜め、縦の順番とする）ことで、その他の射信号（縦偏光信号）で遠隔操作が行われないように構成した光リモコンシステムも提供する。具体的に、上記構成に加えて、さらに第一光射出部より射出された第一光を縦偏光する縦偏光フィルタ部と、第二光射出部より射出された第二光を斜め偏光する斜偏光フィルタ部と、前記斜め偏光された第二光を横偏光成分のみを検知する横偏光検知部と、を有する光リモコンシステムを提供する。あるいは、第一光射出部より射出された第一光を横偏光する横偏光フィルタ部と、第二光射出部より射出された第二光を斜め偏光する斜偏光フィルタ部と、前記斜め偏光された第二光を縦偏光成分のみを検知する縦偏光検知部と、を有する光リモコンシステムを提供する。
【発明の効果】
【０００９】
以上のような構成をとる本発明によって、複数の操作信号を示す第一光を光フィルタで選択的に透過し、任意の一部帯域の信号である第二光のみを射出することができる。したがってユーザは所望する任意の操作に対応する光フィルタを選択することで多種多様な遠隔操作を実現することができる。また、リモコン装置以外の例えば部屋内の鏡面台などによる想定外の反射信号を操作信号として操作対象機器が受信し誤動作することを防ぐことができる。
【図面の簡単な説明】
【００１０】
【図１】実施例１の光リモコンシステムによる遠隔操作の一例を説明するための図
【図２】実施例１の光リモコンシステムにおける機能ブロックの一例を表す図
【図３】実施例１の光リモコンシステムの帯域毎射出手段で射出される組合せ第一光の一例を説明するための図
【図４】実施例１の光リモコンシステムのフィルタ部における複数の光フィルタによる第一光の遮断、透過の一例を説明するための図
【図５】実施例１の光リモコンシステムにおける機械的構成の一例を表す図
【図６】実施例１の光リモコンシステムにおける機械的構成の一例を表す図
【図７】実施例２の光リモコンシステムにおける第一光や第二光の射出の一例を説明するための図
【図８】実施例２の光リモコンシステムにおける機能ブロックの一例を表す図
【図９】実施例２の光リモコンシステムにおける機械的構成の一例を表す図
【発明を実施するための形態】
【００１１】
以下に、図を用いて本発明の実施の形態を説明する。なお、本発明はこれら実施の形態に何ら限定されるものではなく、その要旨を逸脱しない範囲において、多種なる態様で実施しうる。なお、実施例１は、主に請求項１，２，３，４，８について説明する。また、実施例２は、主に請求項５，６，７について説明する。
【００１２】
≪実施例１≫
<概要>
図１は、本実施例の光リモコンシステムによる遠隔操作の一例を説明するための図である。この図１（ａ）にあるように、操作対象機器である例えばテレビ装置から、電源オン／オフ用の操作信号Ａや選局用の操作信号Ｂなどが順次、あるいは同時に所定サイクルで射出されている。そしてテレビ装置の電源をつけたいユーザは、リモコン装置に設けられている複数のフィルタのうち電源オン／オフの操作信号の周波数帯のみを透過させるフィルタＡを利用して、上記射出されている複数の操作信号のうち電源オン／オフ操作信号Ａのみを透過、反射させる。すると、その操作信号Ａを受信したテレビ装置の電源がオンされる。また図１（ｂ）に示すように、今度はリモコンの選局操作信号の周波数帯のみを透過させるフィルタＢを利用して、上記射出されている操作信号のうち選局操作信号Ｂのみを透過、反射させる。するとテレビ装置では選局操作が実行される、という具合である。
【００１３】
<機能的構成>
図２は、本実施例の光リモコンシステムにおける機能ブロックの一例を表す図である。なお「光リモコンシステム」は、操作対象機器とリモコン装置、また場合によってはその他の装置から構成されるシステムであって、以下に記載する各構成要件はこれら装置のいずれかに設けられると良い。なお以下に記載する本システムの機能ブロックは機械的部品の組み合わせなどによって実現されても良いし、マイコンなどを含む計算機を利用しハードウェア及びソフトウェアの組み合わせとして実現されても良い。
【００１４】
そして、この図２にあるように、本実施例の光リモコンシステム０２００は、第一光射出部０２０１と、フィルタ部０２０２と、第二光射出部０２０３と、制御機構部０２０４と、を有する。
【００１５】
第一光射出部０２０１は、第一の周波数帯の第一光を射出する機能を有し、例えば射出制御用のマイコンや操作信号を符号化するエンコーダ、符号化された操作信号を射出する発光体などで実現することができる。なお、この第一光射出部は、前述の通り操作対象機器に設けられても良いし、操作対象機器とは別体の装置に設けられても良いし、あるいはリモコン装置に設けられても良いが、リモコン装置以外に設けることで、リモコン装置の電源を省略あるいは電力消費を低減させることができる。
【００１６】
そして本実施例の光リモコンシステムでは、多種多様な遠隔操作を実現するために、この第一光射出部が帯域毎射出手段を有し、複数の操作信号の周波数帯域の組み合わせである組合せ第一光（正確には、後述する複数の光フィルタが遮断可能な複数の帯域の二以上の組み合わせを帯域とする組合せ第一光）を射出する構成とすると良い。図３は、この帯域毎射出手段で射出される組合せ第一光の一例を説明するための図である。この図３（ａ）にあるように、例えばテレビ装置の電源のオン／オフの操作信号Ａは周波数をｆｇとする信号であり、選局アップの操作信号Ｂは周波数をｆｂとし、選局ダウンの操作信号Ｃは周波数をｆｒとする信号である。そして帯域毎射出手段では、例えば各操作信号を別々の発光体から同時に射出、あるいは各操作信号を合成した合成信号を一の発光体から射出することで、図３（ｂ）に実線で示すような第一光を射出する（この図では、操作信号ＡからＣ以外のその他の操作信号の帯域も含む）、という具合である。
【００１７】
あるいは、第一光として各操作信号が個別に、かつ時間的に連続して順次射出される構成であっても、後述する光フィルタにて各操作信号の透過／遮断を選択し多種多様な遠隔操作を実現することができる。その場合には、第一光射出部がさらに時間制御手段を有し、前記組合せ第一光の射出を、前記複数の帯域を時間的に連続して順次射出するように帯域毎射出手段を制御することで行うよう構成しても良い。
【００１８】
フィルタ部０２０２は、射出された第一光の少なくとも一部帯域を光フィルタによって遮断可能に構成され、多種多様な遠隔操作を実現するために、異なる帯域を遮断可能な複数の光フィルタを有するよう構成されていることが好ましい。あるいは一の光フィルタを、所定の制御によってその遮断帯域が変化する可変光フィルタとして実現することで、複数の光フィルタと同等の機能を実現しても良い。また一の非可変光フィルタであっても、例えば異なる帯域の組合せ信号による操作と、一の光フィルタで透過された帯域の信号による操作を区別することで、２種類の操作をユーザが任意に選択して実行させることは可能である。
【００１９】
図４は、このフィルタ部の複数の光フィルタによる第一光の遮断、透過の一例を説明するための図である。この図にあるように、光フィルタＡはｆｇを中心とする透過帯域を持つフィルタであり、光フィルタＢはｆｂを中心とし、光フィルタＣはｆｒを中心とする透過帯域を持つ。したがって、図３（ｂ）に示すような第一光などが光フィルタＡを通過した場合、図３（ａ）に示す操作信号Ａ（電源のオン／オフ信号）を示す帯域の光のみが透過される、という具合である。
【００２０】
第二光射出部０２０３は、遮断されずに透過した第一光の部分である第二光をリモコン信号として射出する機能を有し、例えば光を反射させる鏡などの反射体や、光の進行経路を定義する光ファイバーなどによって実現することができる。そして、この第二光射出部にて射出された第二光で示される操作信号によって遠隔操作が実行される、という具合である。
【００２１】
制御機構部０２０４は、フィルタ部を制御する機能を有し、より具体的にはユーザ操作に応じて所望の帯域の光のみが透過され第二射出部に入力されるようにフィルタ部を制御する機構であって、例えばフィルタ部の光フィルタが複数枚で構成されるのであればそれら光フィルタを反射鏡など（第二光射出部）の前に移動させる制御機構や、一の可変光フィルタで構成されるのであれば可変光フィルタの遮断帯域を切り換える制御機構などが挙げられる。また、複数の光フィルタの移動制御機構をボタンとバネ、連結棒などの非電気式の駆動機構で実現することで、リモコン装置の電源の削減や消費電力の低減を実現することもできる。
【００２２】
<機械的構成>
図５および図６は、本実施例の光リモコンシステムの上記各構成要件を、機械部品およびマイコンなど計算機を利用して実現した際の構成の一例を表す概略図である。なお、本例では第一光射出部を操作対象機器に設け、その他の構成要件をリモコン装置に設けた光リモコンシステムとする。この図５にあるように、操作対象機器は、第一光射出部である複数の発光体０５０１Ａ〜Ｃと、エンコーダ（ＥＮＣ）０５０２Ａ〜Ｃ、制御用マイコン０５０３を備え、またリモコン装置から射出された第二光を受信する受光体０５０４Ａ〜Ｃや、受信した光を復号するデコーダ（ＤＥＣ）０５０５Ａ〜Ｃを備えている。
【００２３】
そして制御用マイコンの内部クロックに応じた所定サイクルで、複数の受光体から同時に、あるいは時間的に連続して順次、それぞれの操作コマンドを示す周波数帯の光を発光させるための制御命令が各エンコーダに入力される。すると各エンコーダは、操作コマンドを符号化（信号化）し、所定のタイミング（他の受光部と同時や連続のタイミング）で各受光部の発光制御を行う。すると、複数の操作信号Ａ〜Ｃの周波数帯が組み合わされた組合せ第一光が操作対象機器の外部に定期的に射出される、という具合である。そして、その射出された第一光が、図６に示すようなリモコン装置に受光され、第二光として反射などされる。なおエンコーダにて機器ＩＤなども操作コマンドに付加して符号化することで、リモコン装置にて反射された別機器の第二光と区別可能に構成しても良い。
【００２４】
図６は、そのリモコン装置における機械的構成の一例を表す断面図である。この図にあるようにリモコン装置は、フィルタ部である複数の光フィルタ０６０１Ａ〜Ｃと、第二光射出部である反射鏡０６０２、制御機構部である複数のボタン機構０６０３Ａ〜Ｃ、反射鏡のシャッター０６０４などを備えている。ここで、例えばユーザによってボタンＢ０６０３Ｂが押込まれると、連結棒で当該ボタンＢと連結された光フィルタＢ０６０１Ｂが図６（ｂ）に示すように移動し、それによってシャッターに替わって光フィルタＢが反射鏡の前に配置される。この状態で、上記のように操作対象機器などから射出された、太破線矢印で示す第一光がリモコン装置の入射口から入射し光フィルタＢを通過すると、第一光の一部帯域が遮断される。そして透過した第一光の一部帯域である、細破線矢印で示す第二光（図３（ａ）の操作信号Ｂ）が反射鏡によって反射され、操作対象機器に向かって射出されることになる。
【００２５】
またユーザが別の機能を実行したければ、例えばボタンＡを押込む（また、それによってボタンＢが元の位置に戻る）。すると今度は光フィルタＡが反射鏡の前に配置され、上記とは別の帯域の第二光（別の操作信号Ａ）が射出される、という具合である。
【００２６】
そしてこのようにリモコン装置から射出された第二光を、操作対象機器が図５に示す受光部にて受光すると、デコーダにてデコード処理が行われ、その操作信号で示される操作コマンドが抽出される。そして抽出した操作コマンドが制御用マイコンに入力されると、操作コマンドに応じた制御信号が操作対象機器内部の所定ハードウェアに出力され、当該操作に係る機能が実行される。
【００２７】
<効果の簡単な説明>
以上のように、本実施例の光リモコンシステムによって、複数の操作信号を示す第一光を光フィルタで選択的に透過し、任意の一部帯域の信号である第二光のみを射出することができる。したがってユーザは所望する任意の操作に対応する光フィルタを選択することで多種多様な遠隔操作を実現することができる。
【００２８】
≪実施例２≫
<概要>
図７は、本実施例の光リモコンシステムにおける第一光や第二光の射出の一例を説明するための図である。この図７（ａ）にあるように、本実施例の光リモコンシステムでは、まず、第一光を縦偏光した信号として射出し、その縦偏光信号の一部帯域を光フィルタで遮断した第二光を斜偏光した信号として射出する。そして第二光を操作信号として受信する側において、例えば横偏光フィルタなどを利用することで、斜偏光されている第二光の横偏光成分のみを検知する構成とすることを特徴とする。
【００２９】
このように構成することで、図７（ｂ）に示すように、例えば第一光（縦偏光信号）がリモコン装置の第二光射出部以外のその他反射体によって反射された場合、受信する側は横偏光成分のみを検知するためその反射光（第三光：縦偏光信号）を操作信号である第二光として検知しない。したがって本実施例の光リモコンシステムでは、リモコン装置以外からの想定外の反射信号を操作信号として検知し誤動作することを防ぐことができる。
【００３０】
なお上記例では第一光を縦偏光信号、第二光を斜偏光信号とし、第二光の受光側で横偏光成分のみを検知する構成としたが、逆に第一光を横偏光信号とし、第二光の受光側で縦偏光成分のみを検知する構成としても同様の効果が得られる。
【００３１】
<機能的構成>
図８は、本実施例の光リモコンシステムにおける機能ブロックの一例を表す図である。この図にあるように、本実施例の光リモコンシステム０８００は、上記実施例を基本として、第一光射出部０８０１と、フィルタ部０８０２と、第二光射出部０８０３と、制御機構部０８０４と、を有する。なお、これら構成要件の説明は上記実施例にて記載済みであるので省略する。
【００３２】
そして本実施例の光リモコンシステムは、さらに縦偏光フィルタ部０８０５と、斜偏光フィルタ部０８０６と、横偏光検知部０８０７と、を有することを特徴とする。
【００３３】
縦偏光フィルタ部０８０５は、第一光射出部より射出された第一光を縦偏光する機能を有し、例えば第一光射出部である部品（発光体など）の前に縦偏光フィルタを配置することで実現することができる。そして、ここで第一光は縦偏光信号として外部に射出されることになる。
【００３４】
斜偏光フィルタ部０８０６は、第二光射出部より射出された第二光を斜め偏光する機能を有し、例えば第二光射出部である部品（反射鏡など）の前に斜偏光フィルタを配置することで実現することができる。なお、この斜偏光フィルタは、反射鏡及びフィルタ部の光フィルタ（一部帯域の遮断用フィルタ）の前に配置されても良いし、反射鏡などと光フィルタとの間に配置されても良い。また斜偏光フィルタでは入射（第一光）と出射（第二光）で２回光が通過するが、入射で斜偏光された光が斜偏光のまま出射することになるので偏光方向は変化しない。
【００３５】
横偏光検知部０８０７は、前記斜め偏光された第二光を横偏光成分のみを検知する機能を有し、例えば操作対象機器において操作信号を受信する部品（受光体など）の前に横偏光フィルタを配置することで実現することができる。そしてこのように構成することで、操作信号の受信側ではリモコン装置などで反射射出などされた第二光（斜偏光信号）のみを検知し、その他の想定外の反射体による反射信号（縦偏光信号）は検知されないので、操作対象機器の誤動作を防ぐことができる。
【００３６】
なお、前述の通り第一光を横偏光信号とし、第二光の受光側で縦偏光成分のみを検知する構成としても同様の効果が得られる。その場合、本実施例の光リモコンシステムは、第一光射出部より射出された第一光を横偏光する横偏光フィルタ部と、第二光射出部より射出された第二光を斜め偏光する斜偏光フィルタ部と、前記斜め偏光された第二光を縦偏光成分のみを検知する縦偏光フィルタ検知部と、を有していると良い。なおこれら構成は光の偏光方向や検知方向が違うのみであるので説明は省略する。
なお、第一光の最初の偏光フィルタの偏光方向を縦横に関わらず基準角度（０度）として、つづく第二光の偏光フィルタを基準角度から４５度回転の角度に偏光するフィルタとし、最後の偏光検知部をそこからさらに４５度（すなわち基準角度から９０度）の第二光成分のみを検知するよう構成しても同様の効果を実現することができる。
【００３７】
<機械的構成>
図９は、本実施例の光リモコンシステムの上記各構成要件を、機械部品などを利用して実現した際の構成の一例を表す概略図である。なお、本例では第一光射出部を操作対象機器に設け、その他の構成要件をリモコン装置に設けた光リモコンシステムとする。この図にある通り、操作対象機器０９００において、第一光を出射する発光体０９０１の前に縦偏光フィルタ（０度）０９０２が配置され、また第二光を操作信号として受信する受光部０９０３の前に横偏光フィルタ（９０度）０９０４が配置されている。一方でリモコン装置０９１０においては、反射鏡０９１１などの前に斜偏光フィルタ（４５度）０９１２が配置されている。
【００３８】
そして発光体から出射された第一光は、縦偏光フィルタを通過することで縦方向に偏光された縦偏光信号となる。そして、この縦偏光信号が周辺のその他の反射物０９２０で反射され操作対象機器の受光部に入射される場合、その前に配置された横偏光フィルタを縦偏光信号は通過できないので、当該信号が受光部にて受光、検知されることは無い。
【００３９】
一方、リモコン装置に入射した第一光（縦偏光信号）は、斜偏光フィルタにて斜方向に偏光されたあと、図示しない光フィルタ（一部帯域の遮断用フィルタ）を通過し、斜偏光信号の第二光として反射鏡にて反射される。あるいは、先に光フィルタを透過した縦偏光信号の第二光が、つづいて斜偏光フィルタによって斜方向に変更され反射鏡にて反射されても良い。
【００４０】
そして、リモコン装置から出射された第二光（斜偏光信号）が操作対象機器の受光部に入射される場合、その前に配置された横偏光フィルタを斜偏光信号である第二光の横偏光成分が通過し、当該信号が受光部にて受光、検知される。すると当該信号が図示しないデコーダなどで復号化され、その復号化データで示される操作コマンドが実行される、という具合である。
【００４１】
<効果の簡単な説明>
以上のように本実施例の光リモコンシステムによって、第一光（縦偏光信号）がリモコン装置の第二光射出部以外のその他反射体によって反射された場合、受信する側は横偏光成分のみを検知するためその反射光（縦偏光信号）を第二光として検知しない。一方、第二光射出部から射出され斜偏光された第二光は横偏光成分を含むので受信する側でも検知される。したがってリモコン装置以外からの想定外の反射信号を操作信号として検知し誤動作することを防ぐことができる。
【符号の説明】
【００４２】
０２００  光リモコンシステム
０２０１  第一光射出部
０２０２  フィルタ部
０２０３  第二光射出部
０２０４  制御機構部
【図１】
2013131804.tif 000003
【図２】
2013131804.tif 000004
【図３】
2013131804.tif 000005
【図４】
2013131804.tif 000006
【図５】
2013131804.tif 000007
【図６】
2013131804.tif 000008
【図７】
2013131804.tif 000009
【図８】
2013131804.tif 000010
【図９】
2013131804.tif 000011